(57)【要約】【課題】  化粧料などを収納した容器本体と、蓋体とからなる化粧品容器において、容器本体内に取着した中皿に設けられた通過穴を蓋体に取着したパフにより閉蓋時は常に閉鎖し、携帯時に粉末化粧料の漏出や飛散等を防止するようにした化粧料容器を提供すること。【解決手段】  化粧料容器として、内容物を収納する容器本体と、蓋体と、パフとからなる化粧料容器において、容器本体は、内容物を収納する容器と底壁に内容物の通過穴を穿設した中皿とを具え、蓋体は、蓋体本体と、該蓋体本体内で上下動可能に装着されるパフ支持部材と弾性部材とを具え、容器閉蓋時に、パフ支持部材に装着したパフ下面が弾性部材による押圧力により、中皿の底壁上面に当接し、通過穴を閉塞することを特徴とする。【選択図】  図１
2006333923.tif 000002
【特許請求の範囲】
【請求項１】
内容物を収納する容器本体と、蓋体と、パフとからなる化粧料容器において、
容器本体は、内容物を収納する容器と底壁に内容物の通過穴を穿設した中皿とを具え、
蓋体は、蓋体本体と、該蓋体本体内で上下動可能に装着されるパフ支持部材と弾性部材とを具え、
容器閉蓋時に、パフ支持部材に装着したパフ下面が弾性部材による押圧力により、中皿の底壁上面に当接し、通過穴を閉塞することを特徴とする化粧料容器。
【請求項２】
弾性部材の形状が皿ばね形状であることを特徴とする請求項１記載の化粧料容器。
【請求項３】
弾性部材の形状がコイルばね形状であることを特徴とする請求項１記載の化粧料容器。
【発明の詳細な説明】
【技術分野】
【０００１】
本発明は、化粧料容器、とくに粉末化粧料などを収納する容器本体と蓋体、蓋体の裏面に取着されるパフとから構成される化粧料容器に関するものである。
【背景技術】
【０００２】
粉末化粧料などを収納する容器本体と、蓋体と、化粧料などを所望の個所に付着させるパフを、容器内に載置するようにした化粧料容器において、容器本体内に中皿を装着し、携帯時に粉末化粧料の漏出や飛散等を防止するようにした化粧料容器は従来より知られている（特許文献１参照）。  
【特許文献１】登録実用新案第３０５１３３５号公報
【発明の開示】
【発明が解決しようとする課題】
【０００３】
しかしながら、従来の化粧料容器では、携帯時に粉末化粧料の漏出や飛散等を防止するために、中皿を通過プレート（５）と取手部（８ａ）を具えた蓋シート（８）とし、通過プレート（５）上で蓋シート（８）を移動させ、互いに設けられた通過穴を組み合わせて粉末化粧料の通過穴を開閉して使用するため、パフに化粧料を付着して使用するまでに手間がかかるという問題があった。
【０００４】
また、閉蓋の際に、通過プレート（５）と蓋シート（８）との通過穴を閉塞し忘れたり、携帯時の衝撃により通過穴が開いて、携帯時に粉末化粧料が漏出や飛散をしてしまうという問題もあった。
【０００５】
本発明は、上記の問題を解決することを課題として、化粧料などを収納した容器本体と、蓋体とからなる化粧品容器において、容器本体内に取着した中皿に設けられた通過穴を蓋体に取着したパフにより閉蓋時は常に閉鎖し、携帯時に粉末化粧料の漏出や飛散等を防止するようにした化粧料容器を提供することを目的とする。
【課題を解決するための手段】
【０００６】
本発明は、上記課題を解決するために、化粧料容器として、内容物を収納する容器本体と、蓋体と、パフとからなる化粧料容器において、容器本体は、内容物を収納する容器と底壁に内容物の通過穴を穿設した中皿とを具え、蓋体は、蓋体本体と、該蓋体本体内で上下動可能に装着されるパフ支持部材と弾性部材とを具え、容器閉蓋時に、パフ支持部材に装着したパフ下面が弾性部材による押圧力により、中皿の底壁上面に当接し、通過穴を閉塞することを特徴とする構成を採用する。
【０００７】
弾性部材の実施例として、弾性部材の形状が皿ばね形状、または、弾性部材の形状がコイルばね形状であることを特徴とする構成を採用する。
【発明の効果】
【０００８】
容器の閉蓋時には、蓋体内に装着した弾性部材の押圧力により、蓋体下方に装着したパフの下面が容器本体内に取着した中皿の底壁上面に当接し、中皿に設けられた通過穴を常に閉鎖するので、携帯時に粉末化粧料の漏出や飛散等を防止できるようになった。
【０００９】
また、容器が完全に開蓋状態になるまで、蓋体内に装着した弾性部材の押圧力により、パフの下面が中皿の底壁上面に当接し、中皿に設けられた通過穴を常に閉鎖することができ、粉末化粧料の漏出や飛散等を防止できるようになった。
【発明を実施するための最良の形態】
【００１０】
次に、本発明の化粧料容器の実施形態について、図面を参照して説明する。
図１において、Ａは化粧料を収納する容器本体、Ｂは裏面にパフＰを装着した蓋体である
【００１１】
図１、２に示すように、容器本体Ａは、容器Ａ１と中皿Ａ２とからなっている。
容器Ａ１は、側周壁１と底壁２とで形成され、内方に化粧料を収納するようになっており、側周壁１の上方外周には、縮径された係合部３が設けられ、係合部３の外周には、ねじ４が設けられている。
【００１２】
中皿Ａ２は、容器Ａ１の側周壁１内周に挿入される側周壁５と底壁６とからなり、側周壁５上端には、側周壁１上端に当接し、中皿Ａ２の容器Ａ１内への挿入位置を規制するフランジ７が設けられている。
底壁６には、複数の通過穴８が穿設され、底壁６下面の化粧料を底壁６上面に通すようになっている。
【００１３】
図１〜３に示すように、蓋体Ｂは、蓋体本体Ｂ１と天板部材Ｂ２、パフ支持部材Ｂ３、弾性部材Ｂ４とからなっている。
蓋体本体Ｂ１は、外筒壁１０と、外筒壁１０の内周に連設されるリング状の上壁１１と、上壁１１の内縁に連設される内筒壁１２とを具えている。
上壁１１の下面には、閉蓋時に容器本体Ａの中皿Ａ２のフランジ７の上面と係合して容器内を密封するリング状のパッキン１３が装着されている。
【００１４】
外筒壁１０の内周下方には、容器本体Ａのねじ４に螺合するねじ１５が設けられ、内周上方には、天板部材Ｂ２と係合する係合部１６が設けられている。
内筒壁１２の下端内周には、パフ支持部材Ｂ３と係合する係合突条１７が設けられている。
【００１５】
天板部材Ｂ２は、天板２０と、天板２０の外縁から垂設され、蓋体本体Ｂ１の係合部１６の内周面に外周面が嵌合する係合筒２１とからなっている。
【００１６】
パフ支持部材Ｂ３は、上壁部２５と、上壁部２５の外縁から垂設され、蓋体本体Ｂ１の内筒壁１２内周に外周が係合する周壁部２６とからなっており、周壁部２６の下端内周には、パフＰを挟持する係止突条２７が設けられている。
【００１７】
上壁部２５上面には、外縁部に立設され、弾性部材Ｂ４を係合する係合筒部２８と、係合筒部２８の内方に立設された案内筒部２９とを具えている。
周壁部２６の下方外周には、縮径され、蓋体本体Ｂ１の内筒壁１２の係合突条１７と係合し、蓋体本体Ｂ１内でのパフ支持部材Ｂ３の上下動による抜け落ちを防止する縮径部３０が設けられている。
【００１８】
弾性部材Ｂ４は、弾性を持つ軟材質の素材により形成され、図３に示すように、リング状に形成されたパフ支持部材Ｂ３の係合筒部２８と係合する係合部３５と、係合部３５の上部内周に連設される弾撥部３６と、弾撥部３６の内縁に立設され、上端が天板部材Ｂ２の下面に当接し、内周がパフ支持部材Ｂ３の案内筒部２９外周により上下動を案内される押圧筒部３７とを具えている。
【００１９】
次に、本実施例の使用態様と作用効果について説明する。
まず始めに、蓋体Ｂの組立方法について説明する。
パフＰを装着したパフ支持部材Ｂ３の係合筒部２８に弾性部材Ｂ４の係合部３５を係合し、弾性部材Ｂ４をパフ支持部材Ｂ３に装着させる。
次に、パフＰと弾性部材Ｂ４を装着したパフ支持部材Ｂ３をパフＰを下にして蓋体本体Ｂ１の内筒壁１２内周に挿入した後に、上方より天板部材Ｂ２を蓋体本体Ｂ１上部の係合部１６に嵌合させ、蓋体Ｂを得ることができる。
【００２０】
蓋体Ｂは、弾性部材Ｂ４の押圧筒部３７の上端が天板部材Ｂ２の天板２０の下面に当接し、下方に押圧されることにより、弾性部材Ｂ４の弾撥部３６を介して、パフＰを装着したパフ支持部材Ｂ３を下方に押圧させることとなる。
また、パフ支持部材Ｂ３の縮径部３０の段部と蓋体本体Ｂ１の内筒壁１２の係合突条１７が係合し、パフＰを装着したパフ支持部材Ｂ３が、蓋体本体Ｂ１より抜け落ちることが防止される。
【００２１】
化粧料容器の組立方法については、内方に化粧料を収納した容器Ａ１の上方より中皿Ａ２を装着することで容器本体Ａとし、容器Ａ１のねじ４と蓋体Ｂの蓋体本体Ｂ１のねじ１５を螺合させることで、容器本体Ａ内が蓋体Ｂにより閉蓋される。
以上のようにして、化粧料を収納した化粧料容器が得られる。
【００２２】
図１に示すように、化粧料容器の閉蓋時には、パフＰの下面が中皿Ａ２の底壁６の上面に当接し、蓋体本体Ｂ１に対してパフＰとともにパフ支持部材Ｂ３が上方に持ち上げられ、パフ支持部材Ｂ３は、蓋体本体Ｂ１の内筒壁１２内で上方に移動する。
そして、弾性部材Ｂ４の弾撥部３６が変形してパフ支持部材Ｂ３に一定の弾撥力を作用させ、パフＰ下面を一定の圧力で中皿Ａ２の底壁６上面に押圧する。
【００２３】
図４に示すように、化粧料容器の開蓋をするために容器本体Ａと蓋体Ｂとの螺合を解いていくと、弾性部材Ｂ４の弾撥部３６の復元しようとする一定の弾撥力によりパフＰ下面を中皿Ａ２の底壁６上面に押圧し当接させる。
押圧状態は、蓋体Ｂを廻動させることで容器本体Ａに対して上昇させることで、パフ支持部材Ｂ３を弾性部材Ｂ４の弾撥力により蓋体本体Ｂ１の内筒壁１２内で下方に移動させ、蓋体本体Ｂ１の内周壁１２の係合突条１７がパフ支持部材Ｂ３の縮径部３０の段部に係合するまで押圧状態が維持される。
【００２４】
化粧料容器の使用にあたっては、まず始めに、化粧料容器を完全に閉蓋、または、容器本体Ａと蓋体Ｂとの螺合が外れる寸前までの状態で、化粧料容器を上下逆にひっくり返したり、上下に振ったり、化粧料容器を横に倒して左右に振ったりすることにより容器Ａ１内の化粧料が中皿Ａ２の底壁６に穿設された通過穴８を通り、パフＰの当接部に付着される。
その後、化粧料容器の上下を元に戻した後、容器本体Ａと蓋体Ｂとを完全に外し、蓋体Ｂに装着されたパフＰを所望の個所に当接させることで、パフＰに付着した化粧料を所望の個所に塗布することができる。
【００２５】
本実施例の化粧料容器では、化粧料容器を閉蓋してから容器本体Ａと蓋体Ｂとを完全に外すまでの間は、弾性部材Ｂ４の弾撥部３６の弾撥力により、パフＰが下方に押圧されることで、常にパフＰは容器本体Ａの中皿Ａ２の底壁６上面に当接されることになる。
このことで、パフＰの下面が中皿Ａ２の底壁６上面の通過穴８の開口を閉塞し、化粧料容器を上下逆にひっくり返したり、振ったりしても容器Ａ１内の化粧料が中皿Ａ２の底壁６の通過穴８のパフＰの当接部以外に付着または洩れることはなくなり、化粧料容器内が不用意に汚れることを防止することができる。
【００２６】
また、パフＰに付着した化粧料を所望の個所に塗布させる時にも、蓋体Ｂ内で弾性部材Ｂ４の変形によりパフＰが上下動するのでクッション代わりになり、所望の塗布面に優しく付着させることができる。
【００２７】
蓋体Ｂの蓋体本体Ｂ１の内筒壁１２の係合突条１７と、パフ支持部材Ｂ３の縮径部３０の段部との係合するまでの距離を適宜決めることにより、容器本体Ａと蓋体Ｂとの螺合が外れた際に、弾性部材Ｂ４の弾撥力により、パフＰ下面が中皿Ａ２の底壁６上面に当接し、蓋体Ｂが容器本体Ａに対して持ち上がるようにすることができる。
【００２８】
パフＰを使用中、再度化粧料を付着させるには、容器本体Ａと蓋体Ｂとを螺合して閉蓋しなくても、パフＰ下面を中皿Ａ２の底壁６上面に当接させ、押し込むことで、化粧料容器を振ったりして化粧料をパフＰに付着することができる。
その際、パフＰの下面が中皿Ａ２の底壁６上面の通過穴８の開口を閉塞し、化粧料が中皿Ａ２の通過穴８のパフＰの当接部以外に付着または洩れることが防止される。
【００２９】
上記実施形態では、パフＰを蓋体Ｂのパフ支持部材Ｂ３の係止突条２７により挟持して係止したが、本願発明は、パフ支持部材Ｂ３の上壁部２５の下面と周壁部２６の内方にパフＰを装着できればよいので、上壁部２５の下面にパフＰを直接、接着するものでもよく、パフ支持部材Ｂ３のパフＰの装着方法は、本実施例に限定されない。
【００３０】
上記実施形態では、蓋体の弾性部材の形状を皿ばね形状としたが、弾性部材の変形実施例として、図５に示すように、弾性部材の形状をコイルばね形状として弾性部材Ｂａ４とし、それに伴い、パフ支持部材Ｂａ３の上壁部２５ａの上面に弾性部材Ｂａ４を支持する支持筒４０を設けても、弾性部材Ｂａ４の弾撥力により、パフＰを下方に押圧し、容器本体Ａの中皿Ａ２の底壁６上面に当接させることができる。
したがって、蓋体内における弾性部材は、弾撥力によりパフを下方に押圧可能なものであればよいので、弾性部材の形状とそれに伴うパフ支持部材の支持部の形状は、上記実施例に限定されない。
【００３１】
上記実施形態では、蓋体Ｂに、蓋体本体Ｂ１と蓋体本体Ｂ１の上方に嵌合する天板部材Ｂ２とを設けたが、蓋体本体Ｂ１と天板部材Ｂ２とを一体成形して蓋体本体とし、蓋体本体の内筒壁の下方より、パフを装着したパフ支持部材とともに弾性部材を嵌入し、装着してもよい。
【産業上の利用可能性】
【００３２】
本発明の化粧料容器は、蓋体の裏面に装着したパフにより、携帯時に粉末化粧料の漏出や飛散等を防止でき、手指を汚すことなく化粧料を所望の個所に塗布することができるので、化粧料容器だけでなく、粉体の薬品等の塗布容器としても利用することができる。
【図面の簡単な説明】
【００３３】
【図１】本発明実施形態の化粧料容器の断面立面図である。
【図２】容器本体と蓋体の分解説明図である。
【図３】蓋体の分解説明図である。
【図４】容器開蓋途上時を説明する断面立面図である。
【図５】本発明の変形実施形態の（ａ）は完全閉蓋時、（ｂ）は開蓋途上時の断面立面図である。
【符号の説明】
【００３４】
Ａ            容器本体
Ａ１          容器
Ａ２          中皿
Ｂ            蓋体
Ｂ１          蓋体本体
Ｂ２          天板部材
Ｂ３、Ｂａ３  パフ支持部材
Ｂ４、Ｂａ４  弾性部材
Ｐ            パフ
１、５        側周壁
２、６        底壁
３、１６、３５  係合部
４、１５      ねじ
７            フランジ
８            通過穴
１０          外筒壁
１１          上壁
１２          内筒壁
１３          パッキン
１７          係合突条
２０          天板
２１          係合筒
２５、２５ａ  上壁部
２６          周壁部
２７          係止突条
２８          係合筒部
２９          案内筒部
３０          縮径部
３６          弾撥部
３７          押圧筒部
４０          支持部
【図１】
2006333923.tif 000003
【図２】
2006333923.tif 000004
【図３】
2006333923.tif 000005
【図４】
2006333923.tif 000006
【図５】
2006333923.tif 000007